(57)【要約】【課題】ネジ山が損傷したりする心配のない部品を用い、且つ各パーツを一体化することにより、各パーツの落下や紛失を回避しつつグレーチング等のパネル材の固定を確実に行うことができ、作業性向上を図り得るパネル材用固定装置を提供する。【解決手段】支持部材４の表面に溶接等で固着されるベース部材１０と、グレーチング１の被支持部１ａに形成される空間部１ｂを貫通して該グレーチング１の被支持部１ａに係合可能となるよう、前記ベース部材１０に対しグレーチング１の厚さ方向へ延びる軸を中心に回転自在且つグレーチング１の厚さ方向へスライド自在に取り付けられた可動押え部材１１と、該可動押え部材１１を、支持部材４の表面にグレーチング１を押し付ける方向へ付勢する弾性部材１２とによってパネル材用固定装置９を構成する。【選択図】図５
2005264488.tif 000002
【特許請求の範囲】
【請求項１】
支持部材の表面にパネル材を着脱し得るよう固定するためのパネル材用固定装置であって、
支持部材の表面に固着されるベース部材と、
パネル材の被支持部に形成される空間部を貫通して該パネル材の被支持部に係合可能となるよう、前記ベース部材に対しパネル材の厚さ方向へ延びる軸を中心に回転自在且つパネル材の厚さ方向へスライド自在に取り付けられた可動押え部材と、
該可動押え部材を、支持部材の表面にパネル材を押し付ける方向へ付勢する弾性部材と
を備えたことを特徴とするパネル材用固定装置。
【請求項２】
ベース部材を、支持部材の表面に固着される座部と、該座部から立設される支柱部と、該支柱部の先端に設けられ且つ弾性部材を受けるための先端受部とから形成し、
可動押え部材を、前記ベース部材の支柱部に対し遊嵌される筒体部と、該筒体部の基端部に内周側へ張り出すよう設けられ且つ弾性部材を受けるための基端受部と、前記筒体部の先端部に外周側へ張り出すよう配設され且つパネル材の被支持部に形成される空間部を貫通させて回転させることにより該パネル材の被支持部に係合可能な張出爪部とから形成し、
弾性部材を、前記ベース部材の支柱部に嵌装され且つ該ベース部材の先端受部と可動押え部材の基端受部との間に配置される圧縮スプリングとした請求項１記載のパネル材用固定装置。
【請求項３】
支持部材の表面にパネル材を着脱し得るよう固定するためのパネル材用固定装置であって、
支持部材の表面に固着されるベース部材と、
該ベース部材に対し固定位置と固定解除位置との間で切り換え自在となるよう取り付けられたスライドロック部材と、
パネル材の被支持部に形成される空間部を貫通して該パネル材の被支持部に係合可能となるよう、前記スライドロック部材に対しパネル材の厚さ方向へ延びる軸を中心に回転自在に取り付けられた可動押え部材と
を備えたことを特徴とするパネル材用固定装置。
【請求項４】
ベース部材を、支持部材の表面に固着される脚部と、該脚部から一体に張り出されるノーズ部と、該ノーズ部の張り出し方向と直交する方向へ延びるよう前記脚部から突設される支持ピンとから形成し、
スライドロック部材を、前記ベース部材の支持ピンに対しスライド自在に係合する長孔が穿設され且つベース部材に被せるように取り付けられる本体部と、該本体部のスライド動作に連動してノーズ部に対し嵌合・離脱可能となるよう本体部内面側に設けられるストッパピンとから形成し、
可動押え部材を、前記スライドロック部材の本体部に対しパネル材の厚さ方向へ延びる軸を中心に回転自在に取り付けられる円盤部と、該円盤部に外周側へ張り出すよう配設され且つパネル材の被支持部に形成される空間部を貫通させて回転させることにより該パネル材の被支持部に係合可能な張出爪部とから形成した請求項３記載のパネル材用固定装置。
【請求項５】
パネル材が、骨材を格子状に組み付けてなるグレーチングである請求項１〜４いずれかに記載のパネル材用固定装置。
【発明の詳細な説明】
【技術分野】
【０００１】
本発明は、パネル材用固定装置に関するものである。
【背景技術】
【０００２】
一般に、図１３に示される如く、作業用足場の床板等に用いられるパネル材としてのグレーチング１は、帯板状の骨材２と骨材３とを格子状に組み付けてなる構成を有しており、山形鋼等で形成された支持部材４の上に着脱し得るよう固定される。
【０００３】
従来においては、図１３、図１４及び図１５に示される如く、支持部材４の上面所要箇所（通常、グレーチング１の被支持部１ａとなる四隅部に形成される空間部１ｂに対応する箇所）にその頭部を下にして溶接されるボルト５と、該ボルト５に対して嵌装され且つ骨材２の上端部に係合するフック部６が形成された止め金具７と、前記ボルト５に螺着されるナット８とからなるパネル材用固定装置９’が使用されていた。
【０００４】
前記従来のパネル材用固定装置９’の場合、グレーチング１を支持部材４上に固定する際には、支持部材４の上面所要箇所に、予めボルト５をその頭部を下にして溶接しておき、該ボルト５がグレーチング１の被支持部１ａとなる四隅部に形成される空間部１ｂを貫通するよう、グレーチング１を支持部材４上に載置した後、前記ボルト５に対して止め金具７を嵌装させつつ、該止め金具７のフック部６を骨材２の上端部に係合させ、ボルト５にナット８を螺合させて締め付けるようになっている。
【０００５】
又、グレーチング１を支持部材４上から取り外す際には、ナット８を緩めて止め金具７をボルト５から引き抜き、グレーチング１の固定状態を解除するようになっている。
【０００６】
尚、図１３〜図１５に示されるようなパネル材用固定装置を示すものとしては、例えば、特許文献１がある。
【特許文献１】特開２０００−２６５６４７号公報
【発明の開示】
【発明が解決しようとする課題】
【０００７】
しかしながら、前述の如き従来のパネル材用固定装置９’は、ボルト５と止め金具７とナット８という複数の分割されたパーツから成り立っており、しかも、各パーツが小さい部品であるため、それらのパーツを作業員が作業用手袋を着用したままで扱うことは困難であると共に、作業中に各パーツを落としたり、紛失してしまうことも頻繁に発生しており、作業性が悪いという欠点を有していた。
【０００８】
又、従来のパネル材用固定装置９’は、グレーチング１を支持部材４上から取り外したりする場合、ボルト５に対して止め金具７を抜き差しする構造であるため、ボルト５のネジ山が損傷しやすく、使用不可能となってしまうことも多々あり、作業に支障を来たすことがあった。
【０００９】
本発明は、斯かる実情に鑑み、ネジ山が損傷したりする心配のない部品を用い、且つ各パーツを一体化することにより、各パーツの落下や紛失を回避しつつグレーチング等のパネル材の固定を確実に行うことができ、作業性向上を図り得るパネル材用固定装置を提供しようとするものである。
【課題を解決するための手段】
【００１０】
請求項１に係る発明は、支持部材の表面にパネル材を着脱し得るよう固定するためのパネル材用固定装置であって、
支持部材の表面に固着されるベース部材と、
パネル材の被支持部に形成される空間部を貫通して該パネル材の被支持部に係合可能となるよう、前記ベース部材に対しパネル材の厚さ方向へ延びる軸を中心に回転自在且つパネル材の厚さ方向へスライド自在に取り付けられた可動押え部材と、
該可動押え部材を、支持部材の表面にパネル材を押し付ける方向へ付勢する弾性部材と
を備えたことを特徴とするパネル材用固定装置である。
【００１１】
請求項２に係る発明は、ベース部材を、支持部材の表面に固着される座部と、該座部から立設される支柱部と、該支柱部の先端に設けられ且つ弾性部材を受けるための先端受部とから形成し、
可動押え部材を、前記ベース部材の支柱部に対し遊嵌される筒体部と、該筒体部の基端部に内周側へ張り出すよう設けられ且つ弾性部材を受けるための基端受部と、前記筒体部の先端部に外周側へ張り出すよう配設され且つパネル材の被支持部に形成される空間部を貫通させて回転させることにより該パネル材の被支持部に係合可能な張出爪部とから形成し、
弾性部材を、前記ベース部材の支柱部に嵌装され且つ該ベース部材の先端受部と可動押え部材の基端受部との間に配置される圧縮スプリングとした請求項１記載のパネル材用固定装置である。
【００１２】
請求項３に係る発明は、支持部材の表面にパネル材を着脱し得るよう固定するためのパネル材用固定装置であって、
支持部材の表面に固着されるベース部材と、
該ベース部材に対し固定位置と固定解除位置との間で切り換え自在となるよう取り付けられたスライドロック部材と、
パネル材の被支持部に形成される空間部を貫通して該パネル材の被支持部に係合可能となるよう、前記スライドロック部材に対しパネル材の厚さ方向へ延びる軸を中心に回転自在に取り付けられた可動押え部材と
を備えたことを特徴とするパネル材用固定装置である。
【００１３】
請求項４に係る発明は、ベース部材を、支持部材の表面に固着される脚部と、該脚部から一体に張り出されるノーズ部と、該ノーズ部の張り出し方向と直交する方向へ延びるよう前記脚部から突設される支持ピンとから形成し、
スライドロック部材を、前記ベース部材の支持ピンに対しスライド自在に係合する長孔が穿設され且つベース部材に被せるように取り付けられる本体部と、該本体部のスライド動作に連動してノーズ部に対し嵌合・離脱可能となるよう本体部内面側に設けられるストッパピンとから形成し、
可動押え部材を、前記スライドロック部材の本体部に対しパネル材の厚さ方向へ延びる軸を中心に回転自在に取り付けられる円盤部と、該円盤部に外周側へ張り出すよう配設され且つパネル材の被支持部に形成される空間部を貫通させて回転させることにより該パネル材の被支持部に係合可能な張出爪部とから形成した請求項３記載のパネル材用固定装置である。
【００１４】
請求項５に係る発明は、パネル材が、骨材を格子状に組み付けてなるグレーチングである請求項１〜４いずれかに記載のパネル材用固定装置である。
【００１５】
上記手段によれば、以下のような作用が得られる。
【００１６】
本発明の場合、従来のパネル材用固定装置のように、ボルトと止め金具とナットという複数の分割されたパーツから成り立っているわけではなく、各パーツを一体化してあり、ナットをボルトに螺合させたりする細かい作業はしなくて済むため、作業員が作業用手袋を着用したままでも作業を容易に行えると共に、作業中に各パーツを落としたり、紛失してしまう心配もなく、作業性が良くなる。
【００１７】
又、本発明では、グレーチング等のパネル材を支持部材上から取り外したりする場合、従来のパネル材用固定装置のように、ボルトに対して止め金具を抜き差しする構造ではないため、ネジ山が損傷したりする心配はなく、各パーツが使用不可能となってしまうことも避けられ、作業を円滑に進めることが可能となる。
【発明の効果】
【００１８】
本発明の請求項１〜５記載のパネル材用固定装置によれば、ネジ山が損傷したりする心配のない部品を用い、且つ各パーツを一体化することにより、各パーツの落下や紛失を回避しつつグレーチング等のパネル材の固定を確実に行うことができ、作業性向上を図り得るという優れた効果を奏し得る。
【発明を実施するための最良の形態】
【００１９】
以下、本発明の実施の形態を添付図面を参照して説明する。
【００２０】
図１〜図５は本発明を実施する形態の一例であって、図中、図１３〜図１５と同一の符号を付した部分は同一物を表わしており、支持部材４の表面に溶接等で固着されるベース部材１０と、グレーチング１の被支持部１ａに形成される空間部１ｂを貫通して該グレーチング１の被支持部１ａに係合可能となるよう、前記ベース部材１０に対しグレーチング１の厚さ方向へ延びる軸を中心に回転自在且つグレーチング１の厚さ方向へスライド自在に取り付けられた可動押え部材１１と、該可動押え部材１１を、支持部材４の表面にグレーチング１を押し付ける方向へ付勢する弾性部材１２とによってパネル材用固定装置９を構成したものである。
【００２１】
本図示例の場合、前記ベース部材１０は、支持部材４の表面に固着される座部１０ａと、該座部１０ａから立設される支柱部１０ｂと、該支柱部１０ｂの先端に設けられ且つ弾性部材１２を受けるための先端受部１０ｃとから形成してある。
【００２２】
又、前記可動押え部材１１は、前記ベース部材１０の支柱部１０ｂに対し遊嵌される筒体部１１ａと、該筒体部１１ａの基端部に内周側へ張り出すよう設けられ且つ弾性部材１２を受けるための基端受部１１ｂと、前記筒体部１１ａの先端部に外周側へ張り出すよう配設され且つグレーチング１の被支持部１ａに形成される空間部１ｂを貫通させて回転させることにより該グレーチング１の被支持部１ａに係合可能な張出爪部１１ｃとから形成してある。
【００２３】
更に又、前記弾性部材１２は、前記ベース部材１０の支柱部１０ｂに嵌装され且つ該ベース部材１０の先端受部１０ｃと可動押え部材１１の基端受部１１ｂとの間に配置される圧縮スプリングとしてある。
【００２４】
次に、上記図示例の作用を説明する。
【００２５】
グレーチング１を支持部材４上に固定する際には、図１（ａ），（ｂ）に示す如く、支持部材４の上面所要箇所に、予めパネル材用固定装置９におけるベース部材１０の座部１０ａを溶接しておき、続いて、図２に示す如く、該パネル材用固定装置９全体がグレーチング１の被支持部１ａとなる四隅部に形成される空間部１ｂを貫通するよう、グレーチング１を支持部材４上に載置する。
【００２６】
この後、図３に示す如く、可動押え部材１１を弾性部材１２の付勢力に抗して引き上げつつ、図４に示す如く、９０°回転させ、手を離すと、図５（ａ），（ｂ）に示す如く、前記可動押え部材１１の張出爪部１１ｃが骨材２の上端部に係合し、弾性部材１２の付勢力により支持部材４の表面にグレーチング１が押し付けられて固定される形となる。
【００２７】
又、グレーチング１を支持部材４上から取り外す際には、前述と逆の操作を行えば良い。
【００２８】
このように、図１〜図５に示す例の場合、図１３〜図１５に示される従来のパネル材用固定装置９’のように、ボルト５と止め金具７とナット８という複数の分割されたパーツから成り立っているわけではなく、各パーツ（ベース部材１０、可動押え部材１１、弾性部材１２）を一体化してあり、ナット８をボルト５に螺合させたりする細かい作業はしなくて済むため、作業員が作業用手袋を着用したままでも作業を容易に行えると共に、作業中に各パーツを落としたり、紛失してしまう心配もなく、作業性が良くなる。
【００２９】
又、図１〜図５に示す例では、グレーチング１を支持部材４上から取り外したりする場合、従来のパネル材用固定装置９’のように、ボルト５に対して止め金具７を抜き差しする構造ではないため、ネジ山が損傷したりする心配はなく、各パーツが使用不可能となってしまうことも避けられ、作業を円滑に進めることが可能となる。
【００３０】
こうして、ネジ山が損傷したりする心配のない部品を用い、且つ各パーツを一体化することにより、各パーツの落下や紛失を回避しつつグレーチング１の固定を確実に行うことができ、作業性向上を図り得る。
【００３１】
図６は本発明を実施する形態の一例におけるベース部材１０の変形例であって、該ベース部材１０の座部１０ａに固定孔１０ｄを穿設し、該固定孔１０ｄに図示していないボルトを貫通させることにより、支持部材４の上面所要箇所に対してパネル材用固定装置９におけるベース部材１０の座部１０ａを固着するようにしたものである。
【００３２】
このようにすれば、支持部材４に対するベース部材１０の固着手段が溶接だけに限定されず、対応の幅が広がることとなる。
【００３３】
尚、この場合、ベース部材１０を固定するためにボルトを用いることになるが、グレーチング１を支持部材４上から取り外したりする際、パネル材用固定装置９自体は支持部材４に固定したまま保持されるため、ベース部材１０固定用のボルトのネジ山が損傷したりする心配はない。
【００３４】
一方、図７〜図１２は本発明を実施する形態の他の例であって、図中、図１〜図５と同一の符号を付した部分は同一物を表わしており、支持部材４の表面に固着されるベース部材１００と、該ベース部材１００に対し固定位置（図７、図８、図１２参照）と固定解除位置（図９、図１０、図１１参照）との間で切り換え自在となるよう取り付けられたスライドロック部材１２０と、グレーチング１の被支持部１ａに形成される空間部１ｂを貫通して該グレーチング１の被支持部１ａに係合可能となるよう、前記スライドロック部材１２０に対しグレーチング１の厚さ方向へ延びる軸を中心に回転自在に取り付けられた可動押え部材１１０とによってパネル材用固定装置９０を構成したものである。
【００３５】
本図示例の場合、前記ベース部材１００は、支持部材４の表面に固着される脚部１００ａと、該脚部１００ａから一体に張り出されるノーズ部１００ｂと、該ノーズ部１００ｂの張り出し方向と直交する方向へ延びるよう前記脚部１００ａから突設される支持ピン１００ｃとから形成してある。
【００３６】
又、前記スライドロック部材１２０は、前記ベース部材１００の支持ピン１００ｃに対しスライド自在に係合する長孔１２０ａが穿設され且つベース部材１００に被せるように取り付けられる本体部１２０ｂと、該本体部１２０ｂのスライド動作に連動してノーズ部１００ｂに対し嵌合・離脱可能となるよう本体部１２０ｂ内面側に設けられるストッパピン１２０ｃとから形成してある。
【００３７】
尚、前記ノーズ部１００ｂの下面は、図８に示す如く、その先端側（図８中、右方向）へ向け僅かに下り勾配を有するようにしてあり、これにより、前記ストッパピン１２０ｃをノーズ部１００ｂに対し嵌合させた場合、該ストッパピン１２０ｃと本体部１２０ｂの天板部分との間でノーズ部１００ｂを挟み付ける形となり、前記スライドロック部材１２０がこの位置（固定位置）でロックされ、該スライドロック部材１２０の本体部１２０ｂを押し下げつつ、該スライドロック部材１２０に対してベース部材１００から引き離す方向（図８中、右方向）への力を作用させない限り、前記ストッパピン１２０ｃがノーズ部１００ｂから離脱しないようにしてある。
【００３８】
更に又、前記可動押え部材１１０は、前記スライドロック部材１２０の本体部１２０ｂに対しグレーチング１の厚さ方向へ延びる軸を中心に回転自在に取り付けられる円盤部１１０ａと、該円盤部１１０ａに外周側へ張り出すよう配設され且つグレーチング１の被支持部１ａに形成される空間部１ｂを貫通させて回転させることにより該グレーチング１の被支持部１ａに係合可能な張出爪部１１０ｃとから形成してある。
【００３９】
図７〜図１２に示す例において、グレーチング１を支持部材４上に固定する際には、図９に示す如く、支持部材４の上面所要箇所に、予めパネル材用固定装置９０におけるベース部材１００の脚部１００ａを溶接しておき、続いて、図１０に示す如く、該パネル材用固定装置９０全体がグレーチング１の被支持部１ａとなる四隅部に形成される空間部１ｂを貫通するよう、グレーチング１を支持部材４上に載置する。
【００４０】
この後、固定解除位置にあるスライドロック部材１２０を若干引き上げつつ、図１１に示す如く、可動押え部材１１０を９０°回転させ、該可動押え部材１１０の張出爪部１１０ｃを骨材２の上端部に係合させ、この状態から、可動押え部材１１０及びスライドロック部材１２０を押し下げながら、該スライドロック部材１２０をベース部材１００に近づける方向へスライドさせると、図１２に示す如く、ストッパピン１２０ｃがノーズ部１００ｂの下面側に入り込むように嵌合し、該ストッパピン１２０ｃと本体部１２０ｂの天板部分との間でノーズ部１００ｂが挟み付けられる形となり、スライドロック部材１２０がベース部材１００に対し固定位置に保持され、これにより、支持部材４の表面にグレーチング１が押し付けられて固定される形となる。
【００４１】
又、グレーチング１を支持部材４上から取り外す際には、前述と逆の操作を行えば良い。
【００４２】
このように、図７〜図１２に示す例の場合、図１３〜図１５に示される従来のパネル材用固定装置９’のように、ボルト５と止め金具７とナット８という複数の分割されたパーツから成り立っているわけではなく、各パーツ（ベース部材１００、スライドロック部材１２０、可動押え部材１１０）を一体化してあり、ナット８をボルト５に螺合させたりする細かい作業はしなくて済むため、作業員が作業用手袋を着用したままでも作業を容易に行えると共に、作業中に各パーツを落としたり、紛失してしまう心配もなく、作業性が良くなる。
【００４３】
又、図７〜図１２に示す例では、グレーチング１を支持部材４上から取り外したりする場合、従来のパネル材用固定装置９’のように、ボルト５に対して止め金具７を抜き差しする構造ではないため、ネジ山が損傷したりする心配はなく、各パーツが使用不可能となってしまうことも避けられ、作業を円滑に進めることが可能となる。
【００４４】
こうして、図７〜図１２に示す例の場合にも、図１〜図５に示す例の場合と同様、ネジ山が損傷したりする心配のない部品を用い、且つ各パーツを一体化することにより、各パーツの落下や紛失を回避しつつグレーチング１の固定を確実に行うことができ、作業性向上を図り得る。
【００４５】
尚、本発明のパネル材用固定装置は、上述の図示例にのみ限定されるものではなく、床板として使用されるグレーチング１に限らず、例えば、フェンスとして使用されるパネル材にも適用可能なこと、又、図７〜図１２に示す例におけるベース部材１００の脚部１００ａの底面に、図６に示す例と同様の固定孔１０ｄが穿設された座部１０ａを一体化し、該固定孔１０ｄにボルトを貫通させることにより、支持部材４の上面所要箇所に対してベース部材１００の脚部１００ａを溶接する代りにボルトで固着するようにしても良いこと等、その他、本発明の要旨を逸脱しない範囲内において種々変更を加え得ることは勿論である。
【図面の簡単な説明】
【００４６】
【図１】本発明を実施する形態の一例における第一の手順として、ベース部材を支持部材に固着した状態を示す図であって、（ａ）はその正面図、（ｂ）はその斜視図である。
【図２】本発明を実施する形態の一例における第二の手順として、パネル材をセットした状態を示す正面図である。
【図３】本発明を実施する形態の一例における第三の手順として、可動押え部材を引き上げた状態を示す正面図である。
【図４】本発明を実施する形態の一例における第四の手順として、可動押え部材を９０°回転させた状態を示す正面図である。
【図５】本発明を実施する形態の一例における第五の手順として、可動押え部材によるパネル材の固定を完了した状態を示す図であって、（ａ）はその一部切断正面図、（ｂ）はその斜視図である。
【図６】本発明を実施する形態の一例におけるベース部材の変形例を示す斜視図である。
【図７】本発明を実施する形態の他の例を示す正面図である。
【図８】本発明を実施する形態の他の例を示す側面図である。
【図９】本発明を実施する形態の他の例における第一の手順として、ベース部材を支持部材に固着した状態を示す斜視図である。
【図１０】本発明を実施する形態の他の例における第二の手順として、パネル材をセットした状態を示す斜視図である。
【図１１】本発明を実施する形態の他の例における第三の手順として、可動押え部材を９０°回転させた状態を示す斜視図である。
【図１２】本発明を実施する形態の一例における第四の手順として、可動押え部材によるパネル材の固定を完了した状態を示す斜視図である。
【図１３】従来のパネル材用固定装置の一例を示す全体概要平面図である。
【図１４】従来のパネル材用固定装置の一例を示す正面図であって、図１３のＸＩＶ−ＸＩＶ矢視相当である。
【図１５】従来のパネル材用固定装置の一例を示す斜視図である。
【符号の説明】
【００４７】
１    グレーチング（パネル材）
１ａ  被支持部
１ｂ  空間部
２    骨材
３    骨材
４    支持部材
９    パネル材用固定装置
１０    ベース部材
１０ａ  座部
１０ｂ  支柱部
１０ｃ  先端受部
１１    可動押え部材
１１ａ  筒体部
１１ｂ  基端受部
１１ｃ  張出爪部
１２    弾性部材
９０    パネル材用固定装置
１００    ベース部材
１００ａ  脚部
１００ｂ  ノーズ部
１００ｃ  支持ピン
１１０    可動押え部材
１１０ａ  円盤部
１１０ｃ  張出爪部
１２０    スライドロック部材
１２０ａ  長孔
１２０ｂ  本体部
１２０ｃ  ストッパピン
【図１】
2005264488.tif 000003
【図２】
2005264488.tif 000004
【図３】
2005264488.tif 000005
【図４】
2005264488.tif 000006
【図５】
2005264488.tif 000007
【図６】
2005264488.tif 000008
【図７】
2005264488.tif 000009
【図８】
2005264488.tif 000010
【図９】
2005264488.tif 000011
【図１０】
2005264488.tif 000012
【図１１】
2005264488.tif 000013
【図１２】
2005264488.tif 000014
【図１３】
2005264488.tif 000015
【図１４】
2005264488.tif 000016
【図１５】
2005264488.tif 000017